(57)【要約】      （修正有）【課題】１つのハンガーを変形させることで、通常のハンガーと、洗濯物を立体的な状態で保持することができるハンガーの両方に対応することができるツーウェイハンガーを提供する。【解決手段】略山型の第１フレーム２と、第１フレームにヒンジ係合されている略山型の第２フレーム３と、第１フレームの上部に取り付けられているフック４と、第１フレームの下部に回動可能に取り付けられる第１可動パーツ５と、及び、第２フレームの下部に回動可能に取り付けられる第２可動パーツ６とを含むツーウェイハンガー１であって、第１フレームの下部と第２フレームの下部とが、第１可動パーツ及び第２可動パーツによって互いに接続されており、第１フレームの上部と第２フレームの上部とがヒンジ係合されていることにより、第２フレームは、第１フレームに対して、下部が互いに当接する位置と、下部が互いに離れる位置との間で移動可能である。【選択図】図１
0003230380.tif 000002
【実用新案登録請求の範囲】
【請求項１】
略山型の第１フレームと、
前記第１フレームにヒンジ係合されている略山型の第２フレームと、
前記第１フレームの上部に取り付けられているフックと、
前記第１フレームの下部に回動可能に取り付けられる第１可動パーツと、及び、
前記第２フレームの下部に回動可能に取り付けられる第２可動パーツとを、含むツーウェイハンガーであって、
前記第１可動パーツは、円弧状の２つの本体部、２つの前記本体部を接続するバー部材を有し、円弧状の前記本体部の一端は、前記第１フレームの下部の水平な部分にヒンジ係合によって回動可能に取り付けられており、
前記第２可動パーツは、互いに分離された円弧状の２つの本体部を有し、円弧状の前記本体部の一端は前記第２フレームの下部の水平な部分にヒンジ係合によって回動可能に取り付けられており、
前記第１可動パーツの本体部の他端と、前記第２可動パーツの本体部の他端とが互いにヒンジ係合されており、前記第１フレームの下部の水平な部分と前記第２フレームの下部の水平な部分とが、前記第１可動式及び前記第２可動パーツによって互いに接続されており、
前記第１フレームの上部と前記第２フレームの上部とがヒンジ係合されていることにより、前記第２フレームは、前記第１フレームに対して、下部の水平な部分が互いに当接する位置と、下部の水平な部分が互いに離れる位置との間で移動可能であることを特徴とするツーウェイハンガー。
【請求項２】
前記フックは下端に水平方向に延伸するヒンジ軸を有し、前記第１フレームの上部に設けられたフック用の軸受けに前記ヒンジ軸がヒンジ係合されていることを特徴とする、請求項１に記載のツーウェイハンガー。
【請求項３】
前記第２フレームの上部に設けられたヒンジ軸が、前記第１フレームの上部に設けられた軸受けにヒンジ係合されていることを特徴とする、請求項１又は２に記載のツーウェイハンガー。
【請求項４】
前記第１可動パーツの一端に設けられた軸受けが、前記第１フレームの下部の水平な部分に設けれらたヒンジ軸にヒンジ係合されていることを特徴とする、請求項１〜３のいずれか１項に記載のツーウェイハンガー。
【請求項５】
前記第２可動パーツの一端に設けられた軸受けが、前記第２フレームの下部の水平な部分に設けれらたヒンジ軸にヒンジ係合されていることを特徴とする、請求項１〜４のいずれか１項に記載のツーウェイハンガー。  
【考案の詳細な説明】
【技術分野】
【０００１】
本考案は、衣服、タオル等を干すためのツーウェイハンガーに関する。
【背景技術】
【０００２】
衣服等の洗濯物を干したり、衣服を収納するために様々なハンガーが用いられており、衣服の種類に応じた様々な形態の専用ハンガーも存在している。例えば、ニット用ハンガー（特許文献１）、スーツ用ハンガー（特許文献２）、ズボンハンガー（特許文献３）、タオル用ハンガー（特許文献４）等、様々な用途のハンガーが存在している。
【０００３】
特許文献１〜４のハンガーは対象とする衣服等に応じた形態を有しているが、１つのハンガーでシャツ等の衣服と、タオルを効果的に干すことができるハンガーは存在していない。特許文献４のタオル用ハンガーは、従来のハンガーの水平部分にタオルを掛けて干す際に、洗濯バサミ等の他の固定手段を用いることなく、タオルを固定することができる構造であり、シャツ等の衣服を干すこともできるが、タオルをハンガーの水平部分に掛けて干した状態では、従来のハンガーとあまり変わりがなくタオルは２つに折られた状態であることから、特にタオルを乾燥させやすい構造ではなかった。
【先行技術文献】
【特許文献】
【０００４】
【特許文献１】特開２０２０−１７１６３６号公報
【特許文献２】特開２０２０−１３０９９２号公報
【特許文献３】特開２０２０−３１８７６号公報
【特許文献４】実用新案登録第３２０６００４号公報
【考案の概要】
【考案が解決しようとする課題】
【０００５】
本考案は、１つのハンガーを変形させることで、シャツ等の衣服を干す通常のハンガーとして使用できるだけでなく、タオル等を風が通りやすい状態で掛けることができるハンガーとして使用できるツーウェイハンガーを提供することを目的とする。
【課題を解決するための手段】
【０００６】
本考案のツーウェイハンガーは、略山型の第１フレームと、前記第１フレームにヒンジ係合されている略山型の第２フレームと、前記第１フレームの上部に取り付けられているフックと、前記第１フレームの下部の水平な部分に回動可能に取り付けられる第１可動パーツと、及び、前記第２フレームの下部の水平な部分に回動可能に取り付けられる第２可動パーツとを含むツーウェイハンガーであって、前記第１可動パーツは、円弧状の２つの本体部、２つの前記本体部を接続するバー部材を有し、円弧状の前記本体部の一端は、前記第１フレームの下部の水平な部分にヒンジ係合によって回動可能に取り付けられており、前記第２可動パーツは、互いに分離された円弧状の２つの本体部を有し、円弧状の前記本体部の一端は前記第２フレームの下部の水平な部分にヒンジ係合によって回動可能に取り付けられており、前記第１可動パーツの本体部の他端と、前記第２可動パーツの本体部の他端とが互いにヒンジ係合されており、前記第１フレームの下部の水平な部分と前記第２フレームの下部の水平な部分とが、前記第１可動式及び前記第２可動パーツによって互いに接続されており、前記第１フレームの上部と前記第２フレームの上部とがヒンジ係合されていることにより、前記第２フレームは、前記第１フレームに対して、下部の水平な部分が互いに当接する位置と、下部の水平な部分が互いに離れる位置との間で移動可能であることを特徴とする。
【０００７】
前記フックは下端に水平方向に延伸するヒンジ軸を有し、前記第１フレームの上部に設けられたフック用の軸受けに前記ヒンジ軸がヒンジ係合されている。
【０００８】
前記第２フレームの上部に設けられたヒンジ軸が、前記第１フレームの上部に設けられた軸受けにヒンジ係合されている。
【０００９】
前記第１可動パーツの一端に設けられた軸受けが、前記第１フレームの下部の水平な部分に設けれらたヒンジ軸にヒンジ係合されている。
【００１０】
前記第２可動パーツの一端に設けられた軸受けが、前記第２フレームの下部の水平な部分に設けれらたヒンジ軸にヒンジ係合されている。
【考案の効果】
【００１１】
本考案のツーウェイハンガーは、略山型の第１フレームと、前記第１フレームにヒンジ係合されている略山型の第２フレームと、前記第１フレームの上部に取り付けられているフックと、前記第１フレームの下部の水平な部分に回動可能に取り付けられる第１可動パーツと、及び、前記第２フレームの下部の水平な部分に回動可能に取り付けられる第２可動パーツとを含むツーウェイハンガーであって、前記第１可動パーツは、円弧状の２つの本体部、２つの前記本体部を接続するバー部材を有し、円弧状の前記本体部の一端は、前記第１フレームの下部の水平な部分にヒンジ係合によって回動可能に取り付けられており、前記第２可動パーツは、互いに分離された円弧状の２つの本体部を有し、円弧状の前記本体部の一端は前記第２フレームの下部の水平な部分にヒンジ係合によって回動可能に取り付けられており、前記第１可動パーツの本体部の他端と、前記第２可動パーツの本体部の他端とが互いにヒンジ係合されており、前記第１フレームの下部の水平な部分と前記第２フレームの下部の水平な部分とが、前記第１可動式及び前記第２可動パーツによって互いに接続されており、前記第１フレームの上部と前記第２フレームの上部とがヒンジ係合されていることにより、前記第２フレームは、前記第１フレームに対して、下部の水平な部分が互いに当接する位置と、下部の水平な部分が互いに離れる位置との間で移動可能であることにより、前記第１フレームの下部の水平な部分と前記第２フレームの下部の水平な部分とが互いに当接した状態では従来のハンガーとして使用でき、前記第１フレームの下部の水平な部分と前記第２フレームの下部の水平な部分とが互いに離れた状態では前記第１可動パーツ及び前記第２可動パーツの上に洗濯物を載せて干すことができるので、タオル等の厚い洗濯物が乾きやすくなるという優れた効果を奏する。
【００１２】
前記フックは下端に水平方向に延伸するヒンジ軸を有し、前記第１フレームの上部に設けられたフック用の軸受けに前記ヒンジ軸がヒンジ係合されていることにより、前記第１フレームの下部の水平な部分と前記第２フレームの下部の水平な部分とが互いに離れた状態とした時に、ツーウェイハンガーが傾くのを防ぐことができる。
【図面の簡単な説明】
【００１３】
【図１】本考案のツーウェイハンガーの正面図である。
【図２】第１フレームと第２フレームを開いた状態のツーウェイハンガーの側面図である。
【図３】第１フレームと第２フレームを閉じた状態のツーウェイハンガーの側面図である。
【図４】フックの正面図である。
【図５】第１フレームの正面図である。
【図６】第２フレームの正面図である。
【図７】第１可動パーツと第２可動パーツとを組み合わせた状態の斜視図である。
【図８】第１可動パーツと第２可動パーツとを分解した状態の斜視図である。
【図９】本考案のツーウェイハンガーにタオルを掛けた状態の側面図である。
【考案を実施するための形態】
【００１４】
本考案のツーウェイハンガー１について、図１〜９を用いて以下に詳細に説明する。本考案のツーウェイハンガー１は、図１，２に示すように、略山型の第１フレーム２と、前記第１フレーム２にヒンジ係合されている略山型の第２フレーム３と、前記第１フレーム２の上部に取り付けられているフック４と、前記第１フレーム２の下部の水平な部分に回動可能に取り付けられる第１可動パーツ５と、及び、前記第２フレーム３の下部の水平な部分に回動可能に取り付けられる第２可動パーツ６とを含む。
【００１５】
前記第１フレーム２は、図５に示すように、略山型のフレーム形状であり、下部の水平な部分に４つのヒンジ軸２１が形成されている。前記ヒンジ軸２１は前記第１フレーム２の下部の水平な部分の径を小さくして形成されており、前記第１可動パーツ５のヒンジ係合に使用される。前記第１フレーム２の上部には、略山型のプレート状の部分が設けられており、この部分に、前記第２フレーム３とヒンジ係合するための２つの軸受け２２、前記フック４をヒンジ係合させるための軸受け２３が設けられている。
【００１６】
前記第２フレーム３は、図６に示すように、略山型のフレーム形状であり、下部の水平な部分に４つのヒンジ軸３１が形成されており、前記ヒンジ軸３１は前記第２フレーム３の下部の水平な部分の径を小さくして形成されており、前記第２可動パーツ６のヒンジ係合に使用される。前記第２フレーム３の上部の水平な部分に２つのヒンジ軸３２が形成されており、前記ヒンジ軸３２は前記第２フレーム３の上部の水平な部分の径を小さくして形成されており、前記第１フレーム２とのヒンジ係合に使用される。
【００１７】
前記フック４は、図４に示すように、従来のハンガーのフックの形状を有しており、下端に水平方向に延伸するヒンジ軸４１が設けられており、前記第１フレーム２の上部に設けられた前記フック４用の軸受け２３に前記ヒンジ軸４１がヒンジ係合されている。前記フック４は前記ヒンジ軸４１を中心軸として回動可能に前記第１フレーム２に取り付けられている。
【００１８】
前記第１可動パーツ５は、図８に示すように、２つの本体部５１、及び、２つの前記本体部５１を接続するバー部材５２から構成される。前記本体部５１は円弧状を有し、円弧の一端となる部分に軸受け５４が形成されており、前記軸受け５４は前記第１フレーム２の下部の水平な部分に設けられたヒンジ軸２１とヒンジ係合されることで、前記第１可動パーツ５は前記第１フレーム２に回動可能に取り付けられる。前記本体部５１の円弧の他端となる部分にヒンジ軸５３が形成されており、前記ヒンジ軸５３は前記第２可動パーツ６とのヒンジ係合に使用される。２つの前記本体部５１は他端側で前記バー部材５２によって接続されているが、２つの前記本体部５１と前記バー部材５２とは樹脂によって一体成形することができる。前記バー部材５２は、図９に示すように、タオル１０等を第１可動パーツ５及び前記第２可動パーツ６の上に載せて干す際に、タオル１０等を保持する役割を有する。
【００１９】
前記第２可動パーツ６は、図８に示すように、それぞれが独立した２つの本体部６１から構成されている。前記本体部６１は円弧状を有し、円弧の一端となる部分に軸受け６２が形成されており、前記軸受け６２は前記第２フレーム３の下部の水平な部分に設けられたヒンジ軸３１とヒンジ係合されることで、前記第２可動パーツ６は前記第２フレーム３に回動可能に取り付けられる。前記本体部６１の円弧の他端となる部分に軸受け６３が形成されており、前記軸受け６３は前記第１可動パーツ５とのヒンジ係合に使用される。
【００２０】
前記第１可動パーツ５と前記第２可動パーツ６とは、図７に示すように、前記第１可動パーツ５のヒンジ軸５３と前記第２可動パーツ６の軸受け６３とがヒンジ係合されていることにより、互いに可動に係合されており、図２，７に示すように、前記第１可動パーツ５と前記第２可動パーツ６とが１つの円弧状を形成する状態と、図３に示すように、前記第１可動パーツ５と前記第２可動パーツ６とがヒンジ係合されていない端部が互いに近づく状態との間で可動な構造となっており、前記第１可動パーツ５及び前記第２可動パーツ６は、ストッパー（図示せず）等によって図２，７の状態からさらに離れる方向には移動できない構造となっている
【００２１】
前記第１可動パーツ５の軸受け５４と前記第１フレーム２のヒンジ軸２１とがヒンジ係合され、前記第２可動パーツ６の軸受け６２と前記第２フレーム３のヒンジ軸３１とがヒンジ係合され、前記第１可動パーツ５のヒンジ軸５３と前記第２可動パーツ６の軸受け６３とがヒンジ係合されていることにより、前記第１フレーム２の下部の水平な部分と、前記第２フレーム３の下部の水平な部分とが、前記第１可動パーツ５及び前記第２可動パーツ６を介して接続されている。
【００２２】
本考案のツーウェイハンガー１は、前記第２フレーム３の上部のヒンジ軸３２が前記第１フレーム２の上部の軸受け２２にヒンジ係合されていることで、前記第１フレーム２と前記第２フレーム３とがヒンジ係合され、前記第２フレーム３が前記第１フレーム２に対して回動可能に取り付けられている。さらに、前記第１フレーム２の下部と前記第２フレーム３の下部とは、前記第１可動パーツ５及び前記第２可動パーツ６を介して互いに接続されていることから、前記第２フレーム３は前記第１フレーム２に対して、前記第１可動パーツ５及び前記第２可動パーツ６によって、所定の範囲で可動に取り付けられており、図２，３に示すような、２つの状態で使用することができる。
【００２３】
本考案のツーウェイハンガー１の各部材は、従来のハンガーのように樹脂等で成形することができるが、特に限定するものではない。また、ヒンジ軸、軸受けの形状、個数等は適宜変更することも可能である。また、前記第１フレーム２に対して前記第２フレーム３が回動した時の角度にについても適宜変更することができる。
【００２４】
次に、本考案のツーウェイハンガー１の使用方法について説明する。本考案のツーウェイハンガー１は、図１，２，９に示す状態、及び、図３に示す状態の２つの状態で使用することができる。図３に示す状態のツーウェイハンガー１は、前記第１フレーム２の下部と前記第２フレーム３の下部とが互いに当接した状態で、従来のハンガーと同じような形態を有している。このような状態のツーウェイハンガー１はシャツ等の衣服を干すことができ、従来のハンガーと同じ使い方が可能であり、前記ツーウェイハンガー１を片付ける際も図３の状態にすれば従来のハンガーと同じように嵩張ることなく片付けることができる。
【００２５】
図３の状態から、前記第１フレーム２と前記第２フレーム３との上部のヒンジ係合を中心に、前記第２フレーム３の下部が前記第１フレーム２の下部から離れる方向に、前記第２フレーム３を回動させると、前記第１可動パーツ５及び前記第２可動パーツ６も同時に移動して、図２に示すような、前記第１可動パーツ５と前記第２可動パーツ６とが１つの円弧状を形成する状態となり、前記第１可動パーツ５及び前記第２可動パーツ６の移動が停止され、前記第２フレーム３の回動も停止される。その結果、前記第１フレーム２及び前記第２フレーム３は下部が互いに離れた状態となる。
【００２６】
前記第２フレーム３を回動させる際に、前記フック４は前記第１フレーム２にヒンジ係合されていることから、図３に示すように側面から見た時に前記フック４と前記第１フレーム２とが平行で鉛直な状態から、図２に示すように側面から見た時に前記フック４が鉛直な状態で、前記第１フレーム２に対して傾いた状態へ移動させることができる。これにより、図２に示すように、前記フック４は絶えず鉛直な状態とすることができ、前記第１フレーム２と前記第２フレーム３とは互いに同じ角度で傾斜した状態を保つことができることから、前記ツーウェイハンガー１をバランスの良い状態で使用することができる。
【００２７】
図２に示す状態のツーウェイハンガー１にタオル１０を掛けて干す場合、図９に示すように、前記第１可動パーツ５及び前記第２可動パーツ６の上にタオル１０を載せればよい。このようにして前記ツーウェイハンガー１にタオル１０を掛けて干すと、図９に示すように、タオル１０は逆Ｕ字状で干すことができるので、タオル１０の表面だけでなく、裏面にも風を当てることができるので、タオルを早く乾かすことができるようになる。この時、前記第１可動パーツ５のバー部材５２によって２つの前記本体部５１の間でタオル１０が保持されることから、前記タオル１０が真ん中付近で垂れることなく干すことができるようになる。
【００２８】
ツーウェイハンガー１は、図２の状態で、タオル１０ではなくシャツ等の衣服を干すことも可能である。図２の状態でツーウェイハンガー１に例えばＴシャツを干した場合、前記第１フレーム２の下部と前記第２フレーム３の下部とが離れていることにより、Ｔシャツの胸の付近で前身頃と後身頃とが離れた状態となり、前身頃と後身頃との間に空間が存在した状態となることから、Ｔシャツの内側に風が通りやすくなりＴシャツを早く乾かすことができる。
【００２９】
本考案のツーウェイハンガー１を片付ける際には、図３のように、前記第１フレーム２の下部と前記第２フレーム３の下部とを当接させた状態すれば、従来のハンガーとほぼ同じ状態となることから、嵩張ることなく片付けることができる。
【００３０】
本考案のツーウェイハンガー１は、ヒンジ係合された２つのフレームを用いることにより、変形可能な構造となり、シャツ等の衣服だけでなく、タオル等を早く乾燥させることが可能となり、また、片付ける際には嵩張ることなく、従来のハンガーと同じように片づけることができる。
【符号の説明】
【００３１】
１    ツーウェイハンガー
２    第１フレーム
２１  ヒンジ軸
２２  軸受け
２３  軸受け
３    第２フレーム
３１  ヒンジ軸
３２  ヒンジ軸
４    フック
４１  ヒンジ軸
５    第１可動パーツ
５１  本体部
５２  バー部材
５３  ヒンジ軸
５４  軸受け
６    第２可動パーツ
６１  本体部
６２  軸受け
６３  軸受け
１０  タオル
【図１】
0003230380.tif 000003
【図２】
0003230380.tif 000004
【図３】
0003230380.tif 000005
【図４】
0003230380.tif 000006
【図５】
0003230380.tif 000007
【図６】
0003230380.tif 000008
【図７】
0003230380.tif 000009
【図８】
0003230380.tif 000010
【図９】
0003230380.tif 000011